(57)【要約】【課題】テレビジョン受像機において、ＳＤ放送が映像の映らないＨＤ放送に自動的に切り替えられた場合であっても、ユーザの手間を低減でき、使い勝手を良くする。【解決手段】ＴＶ受像機は、チャンネルが選局されたときに（Ｓ１）、ＮＩＴ情報内に、選局されたチャンネルについての切替指示情報が有るか否かを判断する（Ｓ３）。切替指示情報がある場合（Ｓ４でＹＥＳ）、ＴＶ受像機１は、ＨＤ放送のチャンネルに切り替えて選局し（Ｓ５）、ＨＤ放送のチャンネルについて映像信号が有るか否かを判断し（Ｓ６）、映像信号が無い場合（Ｓ７でＹＥＳ）、ＨＤ放送のチャンネルについて、ＮＩＴ情報内のサービスタイプ情報に基づき、映像の有る種別であるか否かを判断する（Ｓ８）。この判断の結果、ＨＤ放送のチャンネルが映像の有る種別であるとき（Ｓ９でＹＥＳ）、ＴＶ受像機は、ＨＤ放送に切り替える前のＳＤ放送のチャンネルに切り替える（Ｓ１０）。【選択図】図３
2011114640.tif 000002
【特許請求の範囲】
【請求項１】
放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送のコンテンツを受信する受信手段と、
前記受信手段によって受信されたＨＤ放送及びＳＤ放送に基づくテレビジョン番組等のコンテンツの映像を表示する表示手段と、
前記受信手段によって受信されたデジタル放送のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、
前記ＮＩＴ情報抽出手段によって抽出された前記ＮＩＴ情報内に、同一内容のテレビジョン番組をＳＤ放送からＨＤ放送に切り替えて受信する旨を指示する情報（以下、切替指示情報という）が有るか否かを判断する切替指示情報判断手段と、
前記切替指示情報判断手段による判断の結果、前記ＮＩＴ情報内に選局されたチャンネルについての切替指示情報がある場合、同一内容のテレビジョン番組をＳＤ放送からＨＤ放送に切り替えて受信するように制御する制御手段とを備えるテレビジョン受像機において、
前記受信手段によって受信されたデジタル放送のコンテンツについて映像信号の有無を判断する映像信号有無判断手段と、
前記ＮＩＴ情報抽出手段によって抽出された前記ＮＩＴ情報に基づき、前記受信手段によって受信したデジタル放送のコンテンツの種別が映像の有る種別であるか否かを判断するコンテンツ種別判断手段とをさらに備え、
前記制御手段は、
ユーザによってチャンネルが選局されたときに、前記切替指示情報判断手段を用いて、前記ＮＩＴ情報内に、選局されたチャンネルについての切替指示情報が有るか否かを判断し、該切替指示情報がある場合、ＳＤ放送から、このＳＤ放送と同一内容のテレビジョン番組を放送しているＨＤ放送のチャンネルに切り替えた後、
前記映像信号有無判断手段を用いて、切り替えたＨＤ放送のチャンネルのコンテンツについて映像信号が有るか否かを判断し、映像信号が無い場合、
前記コンテンツ種別判断手段を用いて、切り替えたＨＤ放送のチャンネルについてのコンテンツの種別が、映像の有る種別であるか否かを判断し、映像の有る種別であるとき、ＨＤ放送に切り替える前のＳＤ放送のチャンネルに切り替えることを特徴とするテレビジョン受像機。
【請求項２】
前記コンテンツ種別判断手段は、前記ＮＩＴ情報内のサービスタイプ情報に基づき、前記受信手段によって受信したデジタル放送のコンテンツの種別が映像の有る種別であるか否かを判断することを特徴とする請求項１に記載のテレビジョン受像機。
【発明の詳細な説明】
【技術分野】
【０００１】
本発明は、ＨＤ放送とＳＤ放送の双方を受信可能なテレビジョン受像機に関する。
【背景技術】
【０００２】
近年、例えば欧州等の地域によっては、１つの放送局が同一内容のテレビジョン番組をＳＤ（Ｓｔａｎｄａｒｄ  Ｄｅｆｉｎｉｔｉｏｎ）放送のチャンネルと、ＨＤ（Ｈｉｇｈ  Ｄｅｆｉｎｉｔｉｏｎ）放送のチャンネルの双方で放送（サイマル放送）することがある。ＳＤ放送とＨＤ放送の双方を受信可能なテレビジョン（以下、ＴＶという）受像機において、同一内容のテレビジョン番組がサイマル放送されている場合、ＮＩＴ（Ｎｅｔｗｏｒｋ  Ｉｎｆｏｒｍａｔｉｏｎ  Ｔａｂｌｅ）情報内の情報に基づき、ＨＤ放送のチャンネルに切り替えて選局するものがある（例えば、特許文献１参照）。
【０００３】
図４は、従来のＴＶ受像機におけるＨＤ放送のチャンネルの切り替え処理の一例である。ユーザによってチャンネルが選局されたときに、ＴＶ受像機が、選局されたチャンネルについてＮＩＴ情報内の切り替えを指示する情報、例えば「ＨＤ  Ｓｉｍｕｌｃａｓｔ」等の情報（以下、切替指示情報という）の有無を判断し、選局されたチャンネンについて切替指示情報が有る場合（Ｓ１０１でＹＥＳ）、選局されたＳＤ放送のチャンネルから、このＳＤ放送のチャンネルと同一内容のテレビジョン番組を放送しているＨＤ放送のチャンネルに切り替えて（Ｓ１０２）、ＨＤ放送のチャンネルを選局して受信する（Ｓ１０３）。
【０００４】
しかしながら、上記ＴＶ受像機では、ＮＩＴ情報内の切替指示情報の内容に誤りが有る場合であっても、ＨＤ放送のチャンネルに自動的に切り替えて選局してしまい、映像が映らない現象が生じることがある。この場合、ユーザは意図した映像を見ることができず、ＨＤ放送のチャンネルからＳＤ放送のチャンネルに切り替える操作を行う必要があるため、手間が掛かり、使い勝手が悪いという問題がある。また、上記のように映像が映らないと、ユーザはＴＶ受像機が故障したと誤解するおそれがある。
【０００５】
ところで、特許文献２には、第１インタフェースでビデオ信号を受信されない時に、第２インタフェースを動作させるように切り替えるテレビジョンデコーダが開示されている。しかしながら、このテレビジョンデコーダであっても、上記問題を解決できない。また、特許文献３には、複数の信号を送信するトランスミッタと、複数の信号の少なくとも１つを受信するレシーバと、トランスミッタ及びレシーバの相互に対応する信号を選択するセレクタとを有する送信システムが開示されている。しかしながら、この送信システムであっても、上記問題を解決できない。
【先行技術文献】
【特許文献】
【０００６】
【特許文献１】特開２００８−４８２９９号公報
【特許文献２】特表２００８−５３７８６７号公報
【特許文献３】特表２００５−５１４８７８号公報
【発明の概要】
【発明が解決しようとする課題】
【０００７】
本発明は、上述した問題点を解決するためになされたものであり、誤った切替指示情報に基いて、ＳＤ放送が映像の映らないＨＤ放送に自動的に切り替えられた場合であっても、ユーザの手間を低減でき、使い勝手の良いテレビジョン受像機を提供することを目的とする。
【課題を解決するための手段】
【０００８】
上記目的を達成するために請求項１の発明は、放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送のコンテンツを受信する受信手段と、前記受信手段によって受信されたＨＤ放送及びＳＤ放送に基づくテレビジョン番組等のコンテンツの映像を表示する表示手段と、前記受信手段によって受信されたデジタル放送のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、前記ＮＩＴ情報抽出手段によって抽出された前記ＮＩＴ情報内に、同一内容のテレビジョン番組をＳＤ放送からＨＤ放送に切り替えて受信する旨を指示する情報（以下、切替指示情報という）が有るか否かを判断する切替指示情報判断手段と、前記切替指示情報判断手段による判断の結果、前記ＮＩＴ情報内に選局されたチャンネルについての切替指示情報がある場合、同一内容のテレビジョン番組をＳＤ放送からＨＤ放送に切り替えて受信するように制御する制御手段とを備えるテレビジョン受像機において、前記受信手段によって受信されたデジタル放送のコンテンツについて映像信号の有無を判断する映像信号有無判断手段と、前記ＮＩＴ情報抽出手段によって抽出された前記ＮＩＴ情報に基づき、前記受信手段によって受信したデジタル放送のコンテンツの種別が映像の有る種別であるか否かを判断するコンテンツ種別判断手段とをさらに備え、前記制御手段は、ユーザによってチャンネルが選局されたときに、前記切替指示情報判断手段を用いて、前記ＮＩＴ情報内に、選局されたチャンネルについての切替指示情報が有るか否かを判断し、該切替指示情報がある場合、ＳＤ放送から、このＳＤ放送と同一内容のテレビジョン番組を放送しているＨＤ放送のチャンネルに切り替えた後、前記映像信号有無判断手段を用いて、切り替えたＨＤ放送のチャンネルのコンテンツについて映像信号が有るか否かを判断し、映像信号が無い場合、前記コンテンツ種別判断手段を用いて、切り替えたＨＤ放送のチャンネルについてのコンテンツの種別が、映像の有る種別であるか否かを判断し、映像の有る種別であるとき、ＨＤ放送に切り替える前のＳＤ放送のチャンネルに切り替えるものである。
【０００９】
請求項２に記載の発明は、請求項１に記載のテレビジョン受像機において、前記コンテンツ種別判断手段は、前記ＮＩＴ情報内のサービスタイプ情報に基づき、前記受信手段によって受信したデジタル放送のコンテンツの種別が映像の有る種別であるか否かを判断するものである。
【発明の効果】
【００１０】
本発明によれば、切り替えたＨＤ放送のチャンネルのコンテンツについて映像信号が有るか否かを判断し、映像信号が無い場合、切り替えたＨＤ放送のチャンネルについてのコンテンツの種別が、映像の有る種別であるか否かを判断する。そして、切り替えたＨＤ放送のチャンネルのコンテンツが映像の有る種別であるとき、ＨＤ放送に切り替える前のＳＤ放送のチャンネルに自動的に切り替える。そのため、ＳＤ放送からＨＤ放送に自動的に切り替えられたときに、ＨＤ放送が映像のない場合、すなわち、誤った切替指示情報に基いて、ＳＤ放送が映像の映らないＨＤ放送に自動的に切り替えられた場合であっても、ユーザがチャンネルの切り替え操作をすること無しに、ＨＤ放送に切り替える前のＳＤ放送のチャンネルに自動的に切り替わるため、ユーザによる手間を低減でき、使い勝手が良い。また、ユーザが、ＴＶ受像機が故障したと誤解するおそれがなくなる。
【００１１】
また、映像信号が無いコンテンツの場合、さらにコンテンツの種別が、映像の有る種別であるか否かを判断し、映像の有る種別であるときに限り、ＨＤ放送に切り替える前のＳＤ放送のチャンネルに自動的に切り替えるようにした。そのため、切り替えたＨＤ放送のチャンネルが、例えばラジオ番組等の映像の無い種別の番組であった場合に、誤ってＳＤ放送のチャンネルに自動的に切り替えられることを防ぐことができ、ユーザにとってさらに使い勝手が良い。
【図面の簡単な説明】
【００１２】
【図１】本発明の一実施形態に係るＴＶ受像機の斜視図。
【図２】上記ＴＶ受像機の概略構成を示すブロック図。
【図３】上記ＴＶ受像機におけるチャンネル選局処理の手順を示すフローチャート。
【図４】従来のＴＶ受像機におけるチャンネル切り替え処理の手順を示すフローチャート。
【発明を実施するための形態】
【００１３】
本発明の一実施形態に係るテレビジョン（以下、ＴＶという）受像機について、図１、及び図２を参照して説明する。図１は、リモコン装置２により操作されるＴＶ受像機１の外観を示し、図２は、ＴＶ受像機１の内部構成を示す。ＴＶ受像機１は、放送局から配信されるＳＤ（Ｓｔａｎｄａｒｄ  Ｄｅｆｉｎｉｔｉｏｎ）放送とＨＤ（Ｈｉｇｈ  Ｄｅｆｉｎｉｔｉｏｎ）放送とを含むデジタル放送に基づくＴＶ番組を受信して復号することにより表示する機器である。リモコン装置２は、ユーザによって操作され、ＴＶ受像機１に対して各種の動作指示を行うためのものである。
【００１４】
ＴＶ受像機１は、ＴＶ番組等のコンテンツの映像を表示するディスプレイ（表示手段）１１と、ＴＶ番組の音声を出力するスピーカ１２と、放送局から配信されるデジタル放送信号を受信するチューナ部（受信手段）１３と、リモコン装置２から送信される操作信号を受信するリモコン信号受信部１４と、各種情報を記憶するメモリ１５と、装置各部を制御する制御用マイコン（制御手段）１６とを備える。
【００１５】
リモコン装置２は、ユーザによって操作される複数の操作ボタン２１と、ＴＶ受像機１に対してユーザによる操作に応じた操作信号を送信するための信号送信部２２とを有する。ユーザはボタン２１を操作することにより、チャンネルの選局等の動作指示を行うことができる。
【００１６】
チューナ部１３は、例えばＭＰＥＧ−２方式で符号化されたＳＤ放送信号や、Ｈ．２６４方式で符号化されたＨＤ放送信号を含むデジタル放送信号を復号できるデコーダ１３ａを有し、放送局から配信されるＴＶ番組を含むコンテンツや、各種情報が記載されたＮＩＴ（Ｎｅｔｗｏｒｋ  Ｉｎｆｏｒｍａｔｉｏｎ  Ｔａｂｌｅ）情報等を受信して制御用マイコン１６に出力する。ＮＩＴ情報は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく情報であり、同一内容のテレビジョン番組を受信する際に、ＳＤ放送のチャンネルからＨＤ放送のチャンネルに切り替えて受信する旨を指示する情報、例えば、「ＨＤ  Ｓｉｍｕｌｃａｓｔ」等の情報（以下、切替指示情報という）や、コンテンツの種別を示すサービスタイプ情報を含むものである。
【００１７】
デコーダ１３ａは、デジタル放送信号のトランスポートストリームに含まれる番組ストリームを映像信号及び音声信号に復号する。メモリ１５は、制御用マイコン１６を動作させるためのプログラム１５ａを記憶する。
【００１８】
制御用マイコン１６は、映像出力部１６ａと、音声出力部１６ｂと、ＮＩＴ情報抽出部（ＮＩＴ情報抽出手段）１６ｃと、切替指示情報判断部（切替指示情報判断手段）１６ｄと、映像信号有無判断部（映像信号有無判断手段）１６ｅと、サービスタイプ判断部（コンテンツ種別判断手段）１６ｆとを有し、受信するチャンネルの制御処理等を行う。
【００１９】
映像出力部１６ａは、チューナ部１３によって受信されたＴＶ番組の映像や各種メッセージをディスプレイ１１に出力する。音声出力部１６ｂは、チューナ部１３によって受信されたＴＶ番組の音声をスピーカ１２に出力する。
【００２０】
ＮＩＴ情報抽出部１６ｃは、チューナ部１３によって受信されたトランスポートストリームからＮＩＴ情報を抽出する。切替指示情報判断部１６ｄは、ＮＩＴ情報抽出部１６ｃによって抽出されたＮＩＴ情報内に、所定のチャンネルについての切替指示情報が有るか否かを判断する。
【００２１】
映像信号有無判断部１６ｅは、チューナ部１３によって受信されたデジタル放送のコンテンツについて映像信号の有無を判断する。具体的には、例えばデコーダ１３ａによるデコード後のビデオデータの内容から出力される映像があるか否かを判断する。
【００２２】
サービスタイプ判断部１６ｆは、ＮＩＴ情報抽出部１６ｃによって抽出されたＮＩＴ情報に基づき、チューナ部１３によって受信したデジタル放送のコンテンツの種別が映像の有る種別であるか否かを判断する。具体的には、例えばＮＩＴ情報内のサービスタイプ情報に基づき、受信したデジタル放送のコンテンツの種別がラジオやデータ放送では無い場合、映像が有るコンテンツであると判断する。
【００２３】
次に、ＴＶ受像機１におけるチャンネル選局処理について、図３に示すフローチャートを参照して説明する。まず、制御用マイコン１６は、ユーザがリモコン装置２の操作ボタン２１を操作することによりチャンネルを選局したときに（Ｓ１）、ＮＩＴ情報抽出部１６ｃを用いてＮＩＴ情報を取得し（Ｓ２）、取得したＮＩＴ情報内に、ユーザによって選局されたチャンネルについての切替指示情報が有るか否かを判断する（Ｓ３）。
【００２４】
上記Ｓ３の判断の結果、切替指示情報がある場合、つまり、ユーザによって選局されたチャンネルが、ＳＤ放送のチャンネルをＨＤ放送のチャンネルに切替えるべきチャンネルである場合（Ｓ４でＹＥＳ）、制御用マイコン１６は、チューナ部１３を用いて、選局されたＳＤ放送のチャンネルと同一内容のテレビジョン番組を放送しているＨＤ放送のチャンネルに切り替えて選局する（Ｓ５）。一方、上記Ｓ３の判断の結果、ユーザによって選局されたチャンネルについて切替指示情報がない場合（Ｓ４でＮＯ）、上記Ｓ５以降の処理を行わない。
【００２５】
上記Ｓ５の処理の後、制御用マイコン１６は、映像信号有無判断部１６ｅを用いて、切り替えたＨＤ放送のチャンネルのコンテンツについて映像信号が有るか否かを判断し（Ｓ６）、映像信号が無い場合（Ｓ７でＹＥＳ）、サービスタイプ判断部１６ｆを用いて、切り替えたＨＤ放送のチャンネルのコンテンツについて、ＮＩＴ情報内のサービスタイプ情報に基づき、このコンテンツが映像の有る種別であるか否かを判断する（Ｓ８）。具体的には、このコンテンツのサービスタイプ情報から、このコンテンツがラジオ番組やデータ放送であるか否かを判断する。
【００２６】
上記Ｓ８の判断の結果、ＨＤ放送のチャンネルのコンテンツが映像の有る種別であるとき（Ｓ９でＹＥＳ）、すなわち、ラジオ番組やデータ放送ではないとき、制御用マイコン１６は、チューナ部１３を用いて、ＨＤ放送に切り替える前のＳＤ放送のチャンネルに切り替える（Ｓ１０）。具体的には例えば、ＳＤ放送のチャンネル「１１」からＨＤ放送のチャンネル「５１」に切り替えられていた場合、制御用マイコン１６は、ＨＤ放送のチャンネル「５１」から、切り替え前のＳＤ放送のチャンネル「１１」に自動的にチャンネルを切り替える（チャンネルを戻す）。
【００２７】
一方、上記Ｓ６の判断の結果、ＨＤ放送のチャンネルのコンテンツに映像信号がある場合（Ｓ７でＮＯ）、制御用マイコン１６は、上記Ｓ８以降の処理を行わない。また、上記Ｓ８の判断の結果、ＨＤ放送のチャンネルのコンテンツが、映像信号の有る種別では無い場合（Ｓ９でＮＯ）、すなわち、ラジオ番組やデータ放送である場合、制御用マイコン１６は、上記Ｓ１０の処理を行わない。
【００２８】
上述したように、本実施形態に係るＴＶ受像機１においては、制御用マイコン１６が、映像信号有無判断部１６ｅを用いて、切り替えたＨＤ放送のチャンネルのコンテンツについて映像信号が有るか否かを判断する。そして、映像信号が無い場合、サービスタイプ判断部１６ｆを用いて、切り替えたＨＤ放送のチャンネルについてのコンテンツの種別が、映像の有る種別であるか否かを判断する。そして、切り替えたＨＤ放送のチャンネルのコンテンツが映像の有る種別であるとき、ＨＤ放送に切り替える前のＳＤ放送のチャンネルに自動的に切り替える。そのため、ＴＶ受像機１は、ＳＤ放送からＨＤ放送に自動的に切り替えられたときに、ＨＤ放送が映像のない場合、すなわち、誤った切替指示情報に基いて、ＳＤ放送が映像の映らないＨＤ放送に自動的に切り替えられた場合であっても、ユーザがリモコン装置２によりチャンネルの切り替え操作をすること無しに、ＨＤ放送に切り替える前のＳＤ放送のチャンネルに自動的に切り替えるため、ユーザによる手間を低減でき、使い勝手が良い。また、ユーザが、ＴＶ受像機１が故障したと誤解するおそれがなくなる。
【００２９】
また、ＨＤ放送のチャンネルのコンテンツに映像信号が無い場合、さらに、このコンテンツの種別が、映像の有る種別であるか否かを判断し、映像の有る種別であるときに限り、ＨＤ放送に切り替える前のＳＤ放送のチャンネルに自動的に切り替えるようにした。そのため、切り替えたＨＤ放送のチャンネルが、例えばラジオ番組等の映像の無い番組であった場合に、誤ってＳＤ放送のチャンネルに自動的に切り替えられることを防ぐことができ、ユーザにとってさらに使い勝手が良い。
【００３０】
なお、本発明は、上記実施形態の構成に限られず、発明の趣旨を変更しない範囲で種々の変形が可能である。例えば、上記実施形態において、ＨＤ放送から、ＨＤ放送に切り替える前のＳＤ放送のチャンネルに切り替える際に、ＨＤ放送に切り替える前のＳＤ放送のチャンネルに自動で切り替える旨をユーザに報知するものであってもよい。
【符号の説明】
【００３１】
１  ＴＶ受像機（テレビジョン受像機）
１１  ディスプレイ（表示手段）
１３  チューナ部（受信手段）
１６  制御用マイコン（制御手段）
１６ｃ  ＮＩＴ情報抽出部（ＮＩＴ情報抽出手段）
１６ｄ  切替指示情報判断部（切替指示情報判断手段）
１６ｅ  映像信号有無判断部（映像信号有無判断手段）
１６ｆ  サービスタイプ判断部（コンテンツ種別判断手段）
【図１】
2011114640.tif 000003
【図２】
2011114640.tif 000004
【図３】
2011114640.tif 000005
【図４】
2011114640.tif 000006